(57)【要約】    【課題】  アンテナ支持棒の撓みを小さくして被測定物から放射される電磁波の放射特性の測定精度を向上する。    【解決手段】  被測定物１の電磁波の放射特性を測定する測定用アンテナ２０を取り付けて昇降させるアンテナ昇降装置であって、基台２の上面に所定間隔をおいて互いに垂直に起立された二本の支柱３ａ，３ｂと、該二本の支柱３ａ，３ｂに沿って上下動可能に設けられた一対の昇降部材４ａ，４ｂと、該一対の昇降部材４ａ，４ｂを前記二本の支柱３ａ，３ｂに沿って同期して昇降させる同期駆動手段５ａ，５ｂと、前記一対の昇降部材４ａ，４ｂに支持されて前記二本の支柱３ａ，３ｂに水平に掛け渡され、先端部に前記測定用アンテナ２０を取り付け可能としたアンテナ支持棒６と、前記同期駆動手段５ａ，５ｂに対して駆動力を与えて駆動する駆動部７と、を備えたものである。【選択図】      図１
2006177894.tif 000002
【特許請求の範囲】
【請求項１】
被測定物の電磁波の放射特性を測定する測定用アンテナを取り付けて昇降させるアンテナ昇降装置であって、
基台の上面に所定間隔をおいて互いに垂直に起立された二本の支柱と、
該二本の支柱に沿って上下動可能に設けられた一対の昇降部材と、
該一対の昇降部材を前記二本の支柱に沿って同期して昇降させる同期駆動手段と、
前記一対の昇降部材に支持されて前記二本の支柱に水平に掛け渡され、先端部に前記測定用アンテナを取り付け可能としたアンテナ支持棒と、
前記同期駆動手段に対して駆動力を与えて駆動する駆動部と、
を備えたことを特徴とするアンテナ昇降装置。
【請求項２】
前記二本の支柱のうち、少なくとも前記被測定物からの電磁波の到来方向前方に位置する支柱の側面を、該側面における電磁波の反射方向が前記測定用アンテナの取付け側と異なる方向となる形状に形成したことを特徴とする請求項１記載のアンテナ昇降装置。
【請求項３】
前記支柱は、その断面形状が多角形とされ、そのいずれかの角部を前記被測定物からの電磁波の到来方向に合致させたことを特徴とする請求項２記載のアンテナ昇降装置。
【請求項４】
前記支柱は、その断面形状が円形とされたことを特徴とする請求項２記載のアンテナ昇降装置。
【請求項５】
前記アンテナ支持棒は、少なくともその上面又は下面を、該上面又は下面における電磁波の反射方向が前記測定用アンテナの取付け側と異なる方向となる形状に形成したことを特徴とする請求項１又は２記載のアンテナ昇降装置。
【請求項６】
前記アンテナ支持棒は、その断面形状が多角形とされ、そのいずれかの角部を上下方向に合致させたことを特徴とする請求項５記載のアンテナ昇降装置。
【請求項７】
前記アンテナ支持棒は、その断面形状が円形とされたことを特徴とする請求項５記載のアンテナ昇降装置。
【発明の詳細な説明】
【技術分野】
【０００１】
本発明は、被測定物の電磁波の放射特性を測定する測定用アンテナを取り付けて昇降するアンテナ昇降装置に関し、詳しくは、基台の上面に所定間隔をおいて互いに垂直に起立された二本の支柱に上記測定用アンテナを取り付けるアンテナ支持棒を掛け渡し、アンテナ支持棒の撓みを小さくして上記放射特性の測定精度を向上しようとするアンテナ昇降装置に係るものである。
【背景技術】
【０００２】
従来のアンテナ昇降装置は、基台の上面に垂直に起立された一本の支柱と、該一本の支柱に沿って昇降する昇降部材と、該昇降部材に水平に支持されて、先端部に被測定物からの電磁波を受信する測定用アンテナを取り付けるアンテナ支持棒と、上記昇降部材にベルトを介して動力を伝達して該昇降部材を昇降させる駆動部とを備えてなる（例えば、特許文献１参照）。
【特許文献１】実公平５−４５９８１号公報
【発明の開示】
【発明が解決しようとする課題】
【０００３】
しかし、このような従来のアンテナ昇降装置においては、上記アンテナ支持棒が一本の支柱に対して昇降部材で支持されていたので、長いアンテナ支持棒の先端部に測定用アンテナを取り付けたときは、その先端部が撓んで測定用アンテナが傾き、被測定物から放射される電磁波の放射特性の測定精度が悪くなる虞があった。
【０００４】
また、上記支柱は、断面形状が四角形の柱状体であり、該四角形の柱状体の一側面が上記電磁波の到来方向に面するように設置されていたので、その側面で反射された電磁波、特に短波長の電磁波がその到来方向前方に設置された測定用アンテナに入力して、測定精度を悪くする虞があった。
【０００５】
そこで、本発明は、このような問題点に対処し、アンテナ支持棒の撓みを小さくして被測定物から放射される電磁波の放射特性の測定精度を向上しようとするアンテナ昇降装置を提供することを目的とする。
【課題を解決するための手段】
【０００６】
上記目的を達成するために、本発明によるアンテナ昇降装置は、被測定物の電磁波の放射特性を測定する測定用アンテナを取り付けて昇降させるアンテナ昇降装置であって、基台の上面に所定間隔をおいて互いに垂直に起立された二本の支柱と、該二本の支柱に沿って上下動可能に設けられた一対の昇降部材と、該一対の昇降部材を前記二本の支柱に沿って同期して昇降させる同期駆動手段と、前記一対の昇降部材に支持されて前記二本の支柱に水平に掛け渡され、先端部に前記測定用アンテナを取り付け可能としたアンテナ支持棒と、前記同期駆動手段に対して駆動力を与えて駆動する駆動部と、を備えたものである。
【０００７】
このような構成により、基台の上面に所定間隔をおいて互いに垂直に起立された二本の支柱に沿って上下動可能に設けられた一対の昇降部材で、先端部に被測定物の電磁波の放射特性を測定する測定用アンテナを取り付け可能としたアンテナ支持棒を水平に支持して上記二本の支柱に水平に掛け渡し、駆動部で同期駆動手段に対して駆動力を与え、同期駆動手段で上記一対の昇降部材を上記二本の支柱に沿って同期して昇降させる。
【０００８】
また、前記二本の支柱のうち、少なくとも前記被測定物からの電磁波の到来方向前方に位置する支柱の側面を、該側面における電磁波の反射方向が前記測定用アンテナの取付け側と異なる方向となる形状に形成したものである。これにより、少なくとも被測定物からの電磁波の到来方向前方に位置する支柱の側面で、電磁波を測定用アンテナの取付け側と異なる方向に反射する。
【０００９】
さらに、前記支柱は、その断面形状が多角形とされ、そのいずれかの角部を前記被測定物からの電磁波の到来方向に合致させたものである。これにより、多角形断面のいずれかの角部を被測定物からの電磁波の到来方向に合致させた支柱で、その側面における電磁波の反射方向を測定用アンテナの取付け側と異ならせる。
【００１０】
そして、前記支柱は、その断面形状が円形とされたものである。円形断面の支柱で、その側面における電磁波の反射方向を測定用アンテナの取付け側と異ならせる。
【００１１】
また、前記アンテナ支持棒は、少なくともその上面又は下面を、該上面又は下面における電磁波の反射方向が前記測定用アンテナの取付け側と異なる方向となる形状に形成したものである。これにより、アンテナ支持棒の上面又は下面で、電磁波を測定用アンテナの取付け側と異なる方向に反射する。
【００１２】
さらに、前記アンテナ支持棒は、その断面形状が多角形とされ、そのいずれかの角部を上下方向に合致させたものである。これにより、多角形断面のいずれかの角部を上下方向に合致させたアンテナ支持棒で、その上側の面又は下側の面における電磁波の反射方向を測定用アンテナの取付け側と異ならせる。
【００１３】
そして、前記アンテナ支持棒は、その断面形状が円形とされたものである。これにより、円形断面のアンテナ支持棒で、その上側の面又は下側の面における電磁波の反射方向を測定用アンテナの取付け側と異ならせる。
【発明の効果】
【００１４】
請求項１に係る発明によれば、先端部に被測定物の電磁波の放射特性を測定する測定用アンテナを取り付け可能としたアンテナ支持棒を基台の上面に垂直に起立させ、互いに離して配設された二本の支柱に掛け渡すものとしたことにより、アンテナ支持棒の撓みを小さくすることができる。したがって、アンテナ支持棒の先端部に取り付けられた測定用アンテナの姿勢を安定に保つことができ、被測定物から放射される電磁波の放射特性の測定精度を向上することができる。
【００１５】
また、請求項２に係る発明によれば、少なくとも電磁波の到来方向前方に位置する支柱の側面における電磁波の反射方向を測定用アンテナの取付け側と異なる方向とすることができる。したがって、測定用アンテナで受信される電磁波のうち、支柱で反射された電磁波の受信を減らすことができ、被測定物から放射される電磁波の放射特性の測定精度をより向上することができる。
【００１６】
さらに、請求項３に係る発明によれば、断面形状が多角形の支柱のいずれかの角部を電磁波の到来方向に合致させたことにより、上記支柱で反射された電磁波の方向を測定用アンテナの設置方向から容易に逸らすことができる。
【００１７】
そして、請求項４に係る発明によれば、断面形状が円形の支柱を使用するものとしたことにより、支柱の設置状態に関係なく該支柱で反射された電磁波の方向を測定用アンテナの取付け側から容易に逸らすことができる。
【００１８】
また、請求項５に係る発明によれば、アンテナ支持棒の上面又は下面における電磁波の反射方向を測定用アンテナの取付け側と異なる方向とすることができる。したがって、測定用アンテナで受信される電磁波のうち、アンテナ支持棒で反射された電磁波の受信を減らすことができ、被測定物から放射される電磁波の放射特性の測定精度をさらに向上することができる。
【００１９】
さらに、請求項６に係る発明によれば、断面形状が多角形のアンテナ支持棒のいずれかの角部を上下方向に合致させたことにより、上記アンテナ支持棒で反射された電磁波の方向を測定用アンテナの取付け側から容易に逸らすことができる。
【００２０】
そして、請求項７に係る発明によれば、断面形状が円形のアンテナ支持棒を使用するものとしたことにより、アンテナ支持棒の設置状態に関係なく該アンテナ支持棒で反射された電磁波の方向を測定用アンテナの取付け側から容易に逸らすことができる。
【発明を実施するための最良の形態】
【００２１】
以下、本発明の実施形態を添付図面に基づいて詳細に説明する。図１は本発明によるアンテナ昇降装置の実施形態を示す斜視図である。このアンテナ昇降装置は、例えば送信アンテナ、各種通信機器又は各種電子機器等の被測定物１から放射される電磁波の放射特性を測定する測定用アンテナを取り付けて昇降するもので、基台２と、二本の支柱３ａ，３ｂと、一対の昇降部材４ａ，４ｂと、同期駆動手段５ａ，５ｂと、アンテナ支持棒６と、駆動部７とからなる。
【００２２】
上記基台２は、平らな上面に後述の支柱３ａ，３ｂを起立状態に保持すると共に、駆動部７を設置するものであり、例えば強化プラスチック（ＦＲＰ）や塩化ビニール等の非金属材料の板材で形成されたベース部材８とサブベース部材９とからなる。
【００２３】
ベース部材８は、矩形状に形成された板材からなり、その裏面の四隅部にそれぞれキャスター１０を設けて移動が可能とされている。そして、該キャスター１０の近傍部には、上下方向に貫通して設けたネジ孔に螺合してアジャスターフット１１を設け、該アジャスターフット１１の高さを調整して上記ベース部材８を水平状態にし、固定できるようになっている。
【００２４】
上記ベース部材８の上面には、矩形状のサブベース部材９が設けられている。このサブベース部材９は、起立して設置される支柱３ａ，３ｂを支持すると共に駆動部７を設置するものであり、上記ベース部材８に対して一側辺の両端部に水平に設けられた軸１２によって矢印Ａ方向に回動可能に軸支されている。そして、サブベース部材９の周囲の辺には、複数の貫通孔が設けられており、該貫通孔を通して上記ベース部材８に設けられたネジ孔に固定ネジ１３を螺合して固定できるようになっている。
【００２５】
上記サブベース部材９の上面には、所定間隔をおいて互いに垂直に起立されて二本の支柱３ａ，３ｂが設けられている。この二本の支柱３ａ，３ｂは、後述の一対の昇降部材４ａ，４ｂを上下動可能に保持するものであり、例えばＦＲＰ等の非金属材料からなり、断面形状が四角形の柱状体とされている。また、上記各支柱３ａ，３ｂの下端部には、補強部材１４ａ，１４ｂが設けられており、その設置面積を広げて設置安定性が確保されている。そして、少なくとも被測定物１からの電磁波の到来方向（矢印Ｂ方向）前方に位置する支柱３ａは、そのいずれかの角部を上記電磁波の到来方向（矢印Ｂ方向）に合致させて設置している。さらに、上記各支柱３ａ，３ｂの上端部には、両支柱３ａ，３ｂに掛け渡してヘッド部材１５が設けられており、両支柱３ａ，３ｂの平行状態を維持できるようになっている。なお、この支柱３ａ，３ｂは、搬送時には上記サブベース部材９を回動可能に軸支する軸１２を中心に矢印Ａ方向に倒伏されて、搬送が容易にされている。
【００２６】
上記二本の支柱３ａ，３ｂには、一対の昇降部材４ａ，４ｂが設けられている。この一対の昇降部材４ａ，４ｂは、二本の支柱３ａ，３ｂに沿って上下動するものであり、例えばＦＲＰ等の非金属材料で形成されたスライダ１６ａ，１６ｂと保持部１８ａ，１８ｂとからなる。
【００２７】
上記スライダ１６ａ，１６ｂは、上記二本の支柱３ａ，３ｂに沿って上下動するものであり、縦方向に貫通して設けられた第１の挿通孔１７ａ，１７ｂにそれぞれ支柱３ａ，３ｂを挿通し、該支柱３ａ，３ｂの角部に対応する上記第１の挿通孔１７ａ，１７ｂの位置にコロを設けて支柱３ａ，３ｂに沿って滑らかに上下動するようになっている。また、上記スライダ１６ａ，１６ｂの側面には、該側面に対して垂直方向に延びる保持部１８ａ，１８ｂが設けられている。この保持部１８ａ，１８ｂは、アンテナ支持棒６を水平に支持するものであり、横方向に貫通して設けられた第２の挿通孔１９ａ，１９ｂにアンテナ支持棒６を挿通させて支持できるようになっている。
【００２８】
上記駆動部７と上記一対の昇降部材４ａ，４ｂとの間には、同期駆動手段５ａ，５ｂが設けられている。この同期駆動手段５ａ，５ｂは、駆動部７によって駆動力が与えられて上記一対の昇降部材４ａ，４ｂを上記二本の支柱３ａ，３ｂに沿って同期して昇降させるものであり、駆動ギア２０ａ，２０ｂと、従動ギア２１ａ，２１ｂと、第１のタイミングプーリー２２ａ，２２ｂと、第２のタイミングプーリー２３ａ，２３ｂと、タイミングベルト２４ａ，２４ｂとからなる。なお、上記同期駆動手段５ａ，５ｂは、全て非金属材料で形成されている。
【００２９】
上記駆動ギア２０ａ，２０ｂは、駆動部７の回転軸と連結された連結シャフト２５上にて上記二本の支柱３ａ，３ｂの下端部近傍にそれぞれ設けられて、上記駆動部７の回転軸の回転に伴って回転するものである。また、上記従動ギア２１ａ，２１ｂは、上記各駆動ギア２０ａ，２０ｂにそれぞれ噛み合って回転するものである。さらに、上記第１のタイミングプーリー２２ａ，２２ｂは、従動ギア２１ａ，２１ｂの軸に対して設けられて該各従動ギア２１ａ，２１ｂと共に回転するものである。また、上記第２のタイミングプーリー２３ａ，２３ｂは、上記第１のタイミングプーリー２２ａ，２２ｂに対応して上記ヘッド部材１５の両端近傍部にそれぞれ設けられている。さらに、上記タイミングベルト２４ａ，２４ｂは、第１のタイミングプーリー２２ａ，２２ｂ及び第２のタイミングプーリー２３ａ，２３ｂとに掛け回されて一端部が上記昇降部材４ａ，４ｂの上端部２６ａ，２６ｂに固定され、他端部が昇降部材４ａ，４ｂの下端部２７ａ，２７ｂに固定されて、上記駆動部７の回転軸の回転力を昇降部材４ａ，４ｂの上下方向への直線運動に変換できるようになっている。なお、上記各従動ギア２１ａ，２１ｂの回転軸にエンコーダを備え、従動ギア２１ａ，２１ｂの回転数及び回転角を検出して昇降部材４ａ，４ｂの高さを計測可能にしてもよい。
【００３０】
上記一対の昇降部材４ａ，４ｂには、アンテナ支持棒６が支持されている。このアンテナ支持棒６は、上記二本の支柱３ａ，３ｂに水平に掛け渡されて、その先端部にアンテナ取付部２８を設けて測定用アンテナ２０を取り付け可能としたものであり、例えばＦＲＰ等の非金属材料からなり、断面形状が四角形の棒状体とされている。この場合、そのいずれかの角部を上下方向に合致させて設置すれば、該上下面における電磁波の反射方向が上記測定用アンテナ２０の取付け側と異なる方向となり、測定用アンテナ２０による電磁波の放射特性の測定精度を向上することができる。なお、後端部には、ケーブルガイド２９を設けて測定用アンテナ２０と図示省略の測定器とを接続するＲＦケーブルを、円弧状に形成したガイドレール３０に沿って緩やかに曲げて、ＲＦケーブルの芯線が折れ曲がって切断したり、インピーダンスが高くなるのを防止している。
【００３１】
上記サブベース部材９の上面にて電磁波の到来方向（矢印Ｂ方向）後方の支柱３ｂ近傍には、駆動部７が設置されている。この駆動部７は、同期駆動手段５ａ，５ｂに対して駆動力を与えて駆動するものであり、例えばモータである。
【００３２】
次に、このように構成されたアンテナ昇降装置の動作について説明する。
先ず、サブベース部材９を軸１２を中心に矢印Ａと反対方向に回転して二本の支柱３ａ，３ｂを起立させる。そして、サブベース部材９の周囲の辺に設けられた複数の貫通孔を通してベース部材８に設けられたネジ孔に固定ネジ１３を螺合してサブベース部材９をベース部材８に固定する。
【００３３】
また、必要に応じて、支柱３ａ，３ｂのヘッド部材１５の両端部とベース部材８の四隅部とにロープを張り、このロープの張力を調整して上記二本の支柱３ａ，３ｂの起立姿勢を設置面に対して垂直となるように調整する。さらに、屋外に設置する場合には、ベース部材８の四隅部側方の地面にペグを打ち込み、該各ペグと上記ヘッド部材１５の両端部とにロープを張って転倒を防止する。
【００３４】
次に、昇降手段４ａ，４ｂの保持部１８ａ，１８ｂに形成された第２の挿通孔１９ａ，１９ｂにアンテナ支持棒６を挿通し、図示省略のボルトで固定して設置し、該アンテナ支持棒６の先端部のアンテナ取付部２８に測定用アンテナ２０を取り付ける。また、アンテナ支持棒６の後端部のケーブルガイド２９を通して垂れ下がった図示省略のＲＦケーブルを測定器に接続する。
【００３５】
次に、駆動部７を回転駆動してその駆動力を同期駆動手段５ａ，５ｂに与え、該同期駆動手段５ａ，５ｂにより一対の昇降部材４ａ，４ｂを同期して上昇させる。これにより、上記一対の昇降部材４ａ，４ｂは、アンテナ支持棒６を水平に支持して二本の支柱３ａ，３ｂに沿って滑らかに移動し、測定用アンテナ２０を所定の高さに設置する。
【００３６】
上記測定用アンテナ２０が所定の高さに設置されると、該測定用アンテナ２０に対向して所定の距離だけ離して設置された被測定物１が起動され、該被測定物１から電磁波が放射される。そして、上記測定用アンテナ２０で、この電磁波を受信して被測定物１の電磁波の放射特性を測定する。この場合、上記二本の支柱３ａ，３ｂのうち、少なくとも電磁波到来方向（図１において矢印Ｂ方向）前方の支柱３ａは、断面形状が四角形をなし、その一つの角部を上記電磁波の到来方向に合致させて設置されているので、該支柱３ａの側面で反射される電磁波、特に波長が例えば2.4GHz程度の短波長の電磁波の反射方向は、図２に示すように上記測定用アンテナ２０の取付け側と異なる方向となる。したがって、測定用アンテナ２０で受信される電磁波のうち、上記支柱３ａで反射された電磁波の受信を減らすことができ、被測定物１から放射される電磁波の放射特性の測定精度が向上する。
【００３７】
また、上記アンテナ支持棒６が四角形の断面形状をなしているので、この場合、その角部を上下方向に合致させれば、該アンテナ支持棒６の側面で反射される電磁波、特に上記短波長の電磁波の反射方向は、上記測定用アンテナ２０の取付け側と異なる方向となる。したがって、これによっても上記アンテナ支持棒６の側面で反射されて測定用アンテナ２０によって受信される電磁波が減少して測定精度が向上する。
【００３８】
上記被測定物１からの電磁波の放射特性の測定は、測定用アンテナ２０を図１において実線で示す水平の設置状態と、矢印Ｃ方向に回転して破線で示す垂直の設置状態とについて行われる。また、アンテナ支持棒６を介して測定用アンテナ２０を所定の角度、例えば90度だけ回転して偏波面を切換えて電磁波の測定が行われる。この場合、偏波面の切換えは、アンテナ支持棒６を一度取り外して角度を変え再度設置して行ってもよいが、実公平５−４５９８１号公報に開示された偏波面の自動切換手段を適用して自動的に切換えるようにしてもよい。
【００３９】
なお、上記実施形態において、支柱３ａ，３ｂ及びアンテナ支持棒６は、断面形状が四角形である場合について説明したが、これに限られず、断面形状が円形であってもよく、または、その側面における電磁波の反射方向が測定用アンテナ２０の設置方向と異なる方向となるものであればいかなる形状であってもよい。
【図面の簡単な説明】
【００４０】
【図１】本発明によるアンテナ昇降装置の実施形態を示す斜視図である。
【図２】支柱の電磁波到来方向側の側面で反射される電磁波の反射方向を示す説明図である。
【符号の説明】
【００４１】
１…被測定物
２…基台
３ａ，３ｂ…支柱
４ａ，４ｂ…昇降部材
５ａ，５ｂ…同期駆動手段
６…アンテナ支持棒
７…駆動部
２０…測定用アンテナ
Ｂ…電磁波到来方向
【図１】
2006177894.tif 000003
【図２】
2006177894.tif 000004